(57)【要約】【課題】  既存の浴室にコンパクトに後付けすることができ、不快な初期冷水を無くすことのできるシャワー装置用即湯システムを提供する。【解決手段】  浴室の壁面１０に室内側から補強枠１５を取り付け、この補強枠１５を覆うカバー材１８の表面に設置されるシャワー装置において、シャワー装置に供給する温水を貯湯できる貯湯保温部１３を、カバー材１８内に設けて構成する。【選択図】  図１
2005055154.tif 000002
【特許請求の範囲】
【請求項１】
浴室の壁面に室内側から補強枠を取り付け、該補強枠を覆うカバー材の表面に設置されるシャワー装置において、該シャワー装置へ供給する温水を貯湯できる貯湯保温部を、前記カバー材内に設けたことを特徴とするシャワー装置用即湯システム。
【請求項２】
浴室に備えられた既存の水栓金具を外すか、または、該水栓金具から分岐させることで、既存の湯管と前記貯湯保温部を連通接続させたことを特徴とする請求項１に記載のシャワー装置用即湯システム。
【発明の詳細な説明】
【技術分野】
【０００１】
本発明は、シャワー装置に、即時に温水を供給することのできるシャワー装置用即湯システムに関するものである。
【背景技術】
【０００２】
図２に示すようなシャワー装置１を室内に備えた浴室が存在する。
このシャワー装置１は、本体機能部２の前面に複数のハンドル２ａ，２ａ，２ａが設けられ、本体機能部２の左右端から上方へ、一対の回動アーム３，３が上下方向に回動可能に設けられており、また下方には、一対の固定アーム４，４が設けられており、それぞれのアーム３，４には複数のノズル５，５が設けられて、各ノズル５，５からシャワー水を噴出させて全身にシャワーを浴びることができるように構成されている。
【特許文献１】特開２００１−２３５１６５号公報
【発明の開示】
【発明が解決しようとする課題】
【０００３】
図２のようなシャワー装置１を、浴室の壁面に取り付けるためには、壁面を補強する必要があり、壁に大きな穴を開けて壁裏に補強を設置する必要があり、後付けが困難なものとなっていた。
また、シャワー装置１のノズル５からシャワー水を噴出させる初期には、遠い場所にある給湯機からの湯がシャワー装置１に届くまでの間は、配管内の冷水が噴出され、不快であるという問題点があった。
【０００４】
なお、初期段階から温水を噴出させるためには、貯湯保温部を設ける必要があるが、後付けできる貯湯保温部は存在せず、また、浴室内に貯湯保温部を設置しようとすると、浴槽の裏側のスペース内に設置することとなり、浴槽の形状に影響を及ぼすという問題点があった。
【課題を解決するための手段】
【０００５】
本発明は上記従来の問題点に鑑み案出したものであって、良好に浴室内にシャワー装置を設置することができ、また同時に、貯湯保温部をも後付けでコンパクトに設置できるシャワー装置用即湯システムを提供せんとするものであり、請求項１は、浴室の壁面に室内側から補強枠を取り付け、該補強枠を覆うカバー材の表面に設置されるシャワー装置において、該シャワー装置へ供給する温水を貯湯できる貯湯保温部を、前記カバー材内に設けたことである。
また、請求項２は、浴室に備えられた既存の水栓金具を外すか、または該水栓金具から分岐させることで、既存の湯管と前記貯湯保温部を連通接続させたことである。
【発明の効果】
【０００６】
本発明は、温水を貯湯できる貯湯保温部を、補強枠を覆うカバー材内に設けたことにより、補強枠およびカバー材を介してシャワー装置を浴室の壁面に後付けすることができ、また同時に、後付けで貯湯保温部を取り付けることができ、しかも貯湯保温部はカバー材内に隠蔽させて配置することができ、コンパクトに設置することができて、シャワー装置を使用する初期段階から、貯湯保温部内の湯がシャワー装置から噴出されて、初期冷水による不快感を生ずることがないものとなる。
また、貯湯保温部はカバー材内に設けられるため、直接手等が触れることがなく安全であり、しかも良好な保温効果が得られるものとなる。
【０００７】
また、浴室に備えられた既存の水栓金具を外すか、または、水栓金具から分岐させることで、既存の湯管と貯湯保温部を連通接続させたことにより、既存の水栓金具用の湯管を利用し、この湯管に貯湯保温部を接続させて、配管経路を短くすることができ、良好に既存の浴室内に後付けが可能となる。
【実施例】
【０００８】
以下、本発明の実施例を図面に基づいて説明する。
図１は、前述した図２に示すシャワー装置を、浴室内に後付けするための構成部材の分解斜視図である。
浴室壁面１０には、裏側から既存の湯管１１と既存の水管１２が配管されており、この既存湯管１１および既存水管１２の壁面１０の表面側には、図示しない既存の水栓金具が設置されているが、この既存の水栓金具を取り外すか、または、既存の水栓金具から分岐させて、既存の湯管１１の壁面１０の表側に、貯湯保温部１３を後付けで連通接続させることができ、また既存水管１２には、後付けで水側配管１４を壁面１０の表側に接続できるものである。
【０００９】
なお、貯湯保温部１３は、パイプを曲げて平面状に積み重ねて形成され、内部に湯を溜めることができるように構成されている。
また、この貯湯保温部１３には、バイパス管１３ａが設けられており、上端側には、前方側へ突出して接続部１３ｂが設けられている。
【００１０】
浴室壁面１０には、室内側から補強枠１５が取り付けられて補強されるものであり、この補強枠１５は、例えば、一対の縦フレーム１６，１６間に、横方向に横板１７，１７を接続して枠組み形成されており、上方の横板１７には、貯湯本部１３の接続部１３ｂ、および水側配管１４の上端を通すことのできる通し孔１７ａ，１７ａが形成されている。
【００１１】
また、この補強枠１５の前面には、カバー材１８が覆設されるものであり、このカバー材１８は、例えば、表面が化粧処理された樹脂製のものであり、湯口１８ａと水口１８ｂが貫通形成されている。
浴室壁面１０の室内側に、後付けで、貯湯保温部１３，水側配管１４および補強枠１５を取り付け、貯湯保温部１３にはヒーター，断熱材，配線などを周囲に配設し、これらを全てカバー材１８で覆って、すっきりとした状態に隠蔽させることができるものである。
【００１２】
カバー材１８が取り付けられた状態では、貯湯保温部１３が内部に隠蔽されて良好な保温効果が得られることとなり、しかも直接手等に触れることのないように隠蔽されるため、安全なものとなる。
カバー材１８の湯口１８ａおよび水口１８ｂから、貯湯保温部１３の接続部１３ｂおよび水側配管１４の上端を突出させておき、これに対しカバー材１８の前面にシャワー装置１を取り付けて、湯および水を良好にシャワー装置１に取り込むことができるものである。
【００１３】
なお、シャワー装置１と貯湯保温部１３間の配管経路は極めて短いものとなり、そのため、シャワー装置１の使用初期から、貯湯保温部１３内に保温されている湯を噴出させることができ、冷水が初期に噴出されることがなくなり、良好な使用感が得られるものとなる。
しかも、シャワー装置１は補強枠１５で補強されて、壁面１０に強固に取り付けられるものである。
【図面の簡単な説明】
【００１４】
【図１】浴室内側に貯湯保温部と補強枠とカバー材を後付けする前の分解斜視図である。
【図２】カバー材の表側に取り付けられるシャワー装置の斜視構成図である。
【符号の説明】
【００１５】
１  シャワー装置
２  本体機能部
３  回動アーム
４  固定アーム
５  ノズル
１０  浴室壁面
１１  既存湯管
１２  既存水管
１３  貯湯保温部
１３ａ  バイパス管
１３ｂ  接続部
１４  水側配管
１５  補強枠
１６  縦フレーム
１７  横板
１７ａ  通し孔
１８  カバー材
１８ａ  湯口
１８ｂ  水口
【図１】
2005055154.tif 000003
【図２】
2005055154.tif 000004